(57)【要約】【課題】撮影時に被写体距離がばらついても、再生時の後処理を必要とせずに撮影倍率の一致した画像が得られ、撮影者に習熟を要求せず、迅速な撮影が可能な省電力の撮像装置を提供すること。【解決手段】撮影倍率を指定する倍率指定手段と、指定された撮影倍率に対応した焦点距離に変倍撮像光学系を設定する焦点距離設定手段と、倍率指定手段で指定された撮像倍率に対応した被写体距離を予め記憶している記憶手段と、撮影時の被写体距離の情報を得る被写体距離情報取得手段と、画像データに解像度変換処理を行う解像度変換処理手段と、を有し、被写体距離情報取得手段で得られた撮影時の被写体距離の情報と記憶手段に記憶されている被写体距離の差に応じて、記憶手段に記憶されている被写体距離で撮影した撮影倍率となるよう解像度変換処理を行う撮像装置とする。【選択図】図３
2008244734.tif 000002
【特許請求の範囲】
【請求項１】
焦点距離可変の変倍撮像光学系と、
該変倍撮像光学系により導かれた被写体光を光電変換する撮像素子と、
撮影倍率を指定する倍率指定手段と、
前記倍率指定手段で指定された撮影倍率に対応した焦点距離に前記変倍撮像光学系を設定する焦点距離設定手段と、
前記焦点距離設定手段で設定された焦点距離における前記倍率指定手段で指定された撮像倍率に対応した被写体距離を予め記憶している記憶手段と、
撮影時の被写体距離の情報を得る被写体距離情報取得手段と、
前記撮像素子で得られた信号に所定の処理を施して得られた画像データに解像度変換処理を行う解像度変換処理手段と、を有し、
前記被写体距離情報取得手段で得られた撮影時の被写体距離の情報と前記記憶手段に記憶されている被写体距離の差に応じて、前記解像度変換処理手段は前記記憶手段に記憶されている被写体距離で撮影した撮影倍率となるよう解像度変換処理を行うことを特徴とする撮像装置。
【請求項２】
前記被写体距離情報取得手段で得られた被写体距離の情報と前記記憶手段に記憶されている被写体距離の差が所定の誤差範囲内である場合に、前記解像度変換処理手段により解像度変換処理を行うことを特徴とする請求項１に記載の撮像装置。
【請求項３】
前記被写体距離情報取得手段で得られた被写体距離の情報と前記記憶手段に記憶されている被写体距離の差が所定の誤差範囲を超えた際に、警告を行うことを特徴とする請求項１又は２に記載の撮像装置。
【請求項４】
前記撮像装置は、撮影した画像データを記録する画像記録手段を有し、前記解像度変換処理手段により解像度変換処理された後の画像データを前記画像記録手段に記録することを特徴とする請求項１〜３のいずれか１項に記載の撮像装置。
【発明の詳細な説明】
【技術分野】
【０００１】
本発明は、近接撮影時に撮影倍率をほぼ一定に保って撮影を行う撮像装置に関し、特に医科用画像撮影に好適な撮像装置に関するものである。
【背景技術】
【０００２】
従来より、医科用に治療前後の比較や経過の観察のため、被検体をほぼ一定の倍率で撮影できる撮像装置が要望されている。
【０００３】
このような医科用のデジタルカメラとして、撮影時には実撮影倍率を表示部に表示して、画像と共に記録し、撮影後の再生時に規定倍率となるように、記録された画像の倍率補正を行うものが知られている（例えば、特許文献１参照）。
【０００４】
また、ビデオカメラ等において、初期設定した被写体を追尾して抽出し、被写体面積の算出をおこなって、初期設定時の被写体の面積が一定の範囲内になるようにズーミングを行うものが知られている（例えば、特許文献２参照）。
【特許文献１】特開２００６−８１１３２号公報
【特許文献２】特開平９−６５１９７号公報
【発明の開示】
【発明が解決しようとする課題】
【０００５】
しかしながら、上記特許文献１に記載のデジタルカメラは、撮影毎に被写体までの距離を紐等で合わせる必要があり、撮影者は充分な習熟が必要である。また被検体は距離合わせの為の時間は静止している必要があり負担の大きいものである。更に、再生時に規定倍率と実撮影倍率の差分の倍率補正を行うものであるため、再生機例えばパーソナルコンピュータ等に専用のソフトウェアが必要であると共に煩雑な操作を必要とするものである。
【０００６】
また、上記特許文献２に記載のビデオカメラは、倍率が変化する度にズームモータを作動させる必要があり、消費電力が増大する問題がある。
【０００７】
本発明は上記問題に鑑み、撮影時に被写体距離がばらついても、再生時の後処理を必要とせずに撮影倍率の一致した画像が得られ、撮影者に習熟を要求せず、迅速な撮影が可能な省電力の撮像装置を提供することを目的とするものである。
【課題を解決するための手段】
【０００８】
上記の目的は、下記に記載する発明により達成される。
【０００９】
１．焦点距離可変の変倍撮像光学系と、該変倍撮像光学系により導かれた被写体光を光電変換する撮像素子と、撮影倍率を指定する倍率指定手段と、前記倍率指定手段で指定された撮影倍率に対応した焦点距離に前記変倍撮像光学系を設定する焦点距離設定手段と、前記焦点距離設定手段で設定された焦点距離における前記倍率指定手段で指定された撮像倍率に対応した被写体距離を予め記憶している記憶手段と、撮影時の被写体距離の情報を得る被写体距離情報取得手段と、前記撮像素子で得られた信号に所定の処理を施して得られた画像データに解像度変換処理を行う解像度変換処理手段と、を有し、前記被写体距離情報取得手段で得られた撮影時の被写体距離の情報と前記記憶手段に記憶されている被写体距離の差に応じて、前記解像度変換処理手段は前記記憶手段に記憶されている被写体距離で撮影した撮影倍率となるよう解像度変換処理を行うことを特徴とする撮像装置。
【００１０】
２．前記被写体距離情報取得手段で得られた被写体距離の情報と前記記憶手段に記憶されている被写体距離の差が所定の誤差範囲内である場合に、前記解像度変換処理手段により解像度変換処理を行うことを特徴とする１に記載の撮像装置。
【００１１】
３．前記被写体距離情報取得手段で得られた被写体距離の情報と前記記憶手段に記憶されている被写体距離の差が所定の誤差範囲を超えた際に、警告を行うことを特徴とする１又は２に記載の撮像装置。
【００１２】
４．前記撮像装置は、撮影した画像データを記録する画像記録手段を有し、前記解像度変換処理手段により解像度変換処理された後の画像データを前記画像記録手段に記録することを特徴とする１〜３のいずれか１項に記載の撮像装置。
【発明の効果】
【００１３】
本発明によれば、撮影時に被写体距離がばらついても、再生時の後処理を必要とせずに撮影倍率の一致した画像が得られ、撮影者に習熟を要求せず、迅速な撮影が可能な省電力の撮像装置を提供することが可能となる。
【発明を実施するための最良の形態】
【００１４】
以下、実施の形態により本発明を詳しく説明するが、本発明はこれに限定されるものではない。
【００１５】
図１は、本実施の形態に係る撮像装置の一例であるカメラ１の外観図である。同図（ａ）はカメラ１の上面図であり、同図（ｂ）はカメラ１を被写体側から見た前面図である。
【００１６】
同図に示すように、カメラ１の上側面にはメインスイッチ釦８１とレリーズ釦８２が配置されている。レリーズ釦８２は、その１段の押し込み（以下、スイッチＳ１のＯＮと称す）によりカメラの撮影準備動作が行われ、その２段の押し込み（以下、スイッチＳ２のＯＮと称す）により撮影動作が行われる。
【００１７】
同図（ｂ）に示すように、カメラ１の前面には変倍撮像光学系であるズームレンズ１０の最も被写体側のレンズである第１レンズが配置されている。レンズ１０の左右には図示の如く、補助光装置である、２箇所のフラッシュ発光部１２ａ、１２ｂが配置されている。フラッシュ発光部１２ａは被写体側から見てズームレンズ１０の第１レンズの左側に、フラッシュ発光部１２ｂは被写体側から見てズームレンズ１０の第１レンズ右側に配置されている。フラッシュ発光部１２ａ、１２ｂは、同時又は選択的に発光させることが可能となされている。
【００１８】
なお、補助光装置は、本例のエレクトリックフラッシュに限るものでなく、高輝度ＬＥＤや白色ランプ等で構成されていてもよい。
【００１９】
同図（ａ）に示す、８５はズーム釦であり、ズームレンズ１０のズームアップ、ズームダウンをおこなう釦である。
【００２０】
図示していない背面には、一般的なデジタルカメラが有している操作部材、例えばメニュー釦、選択釦、セット釦、消去釦、画像やその他文字情報等を表示する例えばＬＣＤの表示装置等が配置されている。
【００２１】
また、図示していない底面や側面には、三脚座、ＡＣアダプタの接続端子、外部機器との接続のための接続端子、本カメラの電源を供給する電池の挿脱のための電池蓋、撮影した画像を記録するカード型のメモリカードを挿脱するためのカード蓋等が配置されている。
【００２２】
図２は、本実施の形態に係る撮像装置であるカメラ１の電気的構成を示すブロック図である。なお、本実施の形態のカメラ１に搭載される撮像素子にはＣＣＤ型イメージセンサ、Ｃ−ＭＯＳ型イメージセンサ等が適用できるが、本例ではＣＣＤ型イメージセンサを搭載したカメラで説明する。
【００２３】
カメラ１は、ズームレンズ１０、フラッシュ手段３０、撮像手段４０、信号処理手段５０、レンズ制御手段６０、表示手段７０、操作部８０、制御手段９０、電源９５などを備えている。
【００２４】
ズームレンズ１０は、複数のレンズ群および透過光量を調節するための絞り及びシャッタの少なくとも一方を備えている。本例では、シャッタを備えた例で説明する。
【００２５】
撮像手段４０は、ズームレンズ１０を通して入射する被写体光像を光電変換して画像信号として出力するもので、ＣＣＤ４３、タイミングジェネレータ４１、タイミング制御回路４２及びＤＣ／ＤＣコンバータ４４を備えている。
【００２６】
ＣＣＤ４３は、ズームレンズ１０により結像された被写体光像を、Ｒ（赤）、Ｇ（緑）、Ｂ（青）の色成分の画像信号（各画素で受光された画素信号の信号列からなる信号）に光電変換して出力する。
【００２７】
タイミング制御回路４２は、制御手段９０内の基準クロックにより制御され、後述するタイミングジェネレータ、信号処理回路、Ａ／Ｄ変換回路に対する基準クロックを生成する。
【００２８】
タイミングジェネレータ４１は、タイミング制御回路４２から送信される基準クロックに基づきＣＣＤ４３の駆動制御信号を生成するものである。タイミングジェネレータ４１は、例えば積分開始／終了（露光開始／終了）のタイミング信号、各画素の受光信号の読出制御信号（水平同期信号，垂直同期信号，転送信号等）等のクロック信号を生成し、ＣＣＤ４３に出力する。
【００２９】
ＤＣ／ＤＣコンバータ４４は、電源からの直流電流を撮像手段４０に適する直流電流へ変換してタイミング制御回路４２、ＣＣＤ４３等に電源を供給する。
【００３０】
信号処理手段５０は、ＣＣＤ４３から送出される画像信号に所定のアナログ信号処理およびデジタル信号処理を施すもので、画像信号の信号処理はその画像信号を構成する各画素信号ごとに行われる。信号処理手段５０は、信号処理回路５１、Ａ／Ｄ変換回路５２、黒レベル補正回路５３、ホワイトバランス（ＷＢ）回路５４、γ補正回路５５及び画像メモリ５６を備えており、黒レベル補正回路５３、ＷＢ回路５４及びγ補正回路５５はデジタル信号処理を施す回路を構成する。
【００３１】
信号処理回路５１は、ＣＣＤ４３から出力される画像信号（アナログ信号）に所定のアナログ信号処理を施すものである。信号処理回路５１は、ＣＤＳ（相関二重サンプリング）回路とＡＧＣ（オートゲインコントロール）回路とを有し、ＣＤＳ回路が画像信号のノイズの低減を行ない、ＡＧＣ回路がゲインを調整することにより画像信号のレベル調整を行なう。
【００３２】
Ａ／Ｄ変換回路５２は、タイミング制御回路４２から入力されるＡ／Ｄ変換用のクロックに基づいて画像信号の各画素信号（アナログ信号）を、例えば１２ビットのデジタル信号に変換する。
【００３３】
黒レベル補正回路５３は、Ａ／Ｄ変換された画素信号の黒レベルを基準の黒レベルに補正するものである。また、ＷＢ（ホワイトバランス）回路５４は、Ｒ、Ｇ、Ｂの各色成分の画素データのレベル変換を行なうものである。ＷＢ回路５４は、制御手段９０から入力されるレベル変換テーブルを用いてＲ、Ｇ、Ｂの各色成分の画素データのレベルを変換する。γ補正回路５５は、画素データの階調を補正するものである。γ補正回路５５では、一般パーソナルコンピュータ用のモニタが有するγ特性に対応した補正が行なわれることとなる。
【００３４】
画像メモリ５６は、γ補正回路５５から出力される画素データを記憶するメモリである。画像メモリ５６は、１フレーム分の記憶容量を有している。すなわち、画像メモリ５６は、少なくともＣＣＤ４３画素数に対応する、例えば１６００×１２００画素分の画素データの記憶容量を有し、各画素データが対応する画素位置に記憶されるようになっている。
【００３５】
表示手段７０は、液晶ディスプレイ（ＬＣＤ）７３を備えるとともに、ＶＲＡＭ７１を備えている。
【００３６】
ＶＲＡＭ７１は、ＬＣＤ７３に表示される画像データのバッファメモリである。ＶＲＡＭ７１は、ＬＣＤ７３の画素数（４００×３００）に対応した画像データの記憶容量を有している。
【００３７】
ＬＣＤ７３の表示については、撮像待機状態において、撮像手段４０により１／３０秒毎に撮像された画像の各画素データが信号処理回路５１からγ補正回路５５により所定の信号処理を施された後、画像メモリ５６に一時記憶されるとともに、制御手段９０を介してＶＲＡＭ７１に転送され、ＬＣＤ７３に表示される（ライブビュー表示）。
【００３８】
さらに、撮像直後においては、撮像した画像を確認するために、本撮像した画像データを基にＬＣＤ７３の画素数に対応した画像データが作成され、制御手段９０を介してＶＲＡＭ７１に転送され、ＬＣＤ７３に表示される（アフタービュー表示）。
【００３９】
あるいは、ライブビューの最後の画像、すなわち、レリーズボタン８２の全押し直前に画像メモリ５６に記憶された画像データが制御手段９０を介してＶＲＡＭ７１に転送され、ＬＣＤ７３に表示するようにしてもよい（アフタービュー表示）。
【００４０】
なお、ＬＣＤ７３に画像以外の情報（例えば日付や露出補正の値等）を表示する場合には、制御手段９０が先のＶＲＡＭ７１に、その情報を加えた画像データを上書きするものとなっている。
【００４１】
また、再生モードにおいては、メモリカード９４から読み出された画像が制御手段９０で所定の信号処理が施された後、ＶＲＡＭ７１に転送され、ＬＣＤ７３に再生表示される。
【００４２】
カードＩ／Ｆ９３は、メモリカード９４への画像データの書込み及び画像データの読出しを行なうためのインターフィースである。
【００４３】
レンズ制御手段６０は、フォーカスレンズ駆動用モータ６１、ズームレンズ駆動用モータ６２及びシャッタ制御ドライバ６３を備えている。
【００４４】
シャッタ制御ドライバ６３は、露光量を制御するものである。
【００４５】
フォーカスレンズ駆動用モータ６１は、制御手段９０から入力される焦点制御信号に基づいて駆動し、ズームレンズ１０を構成するレンズ群のうち、フォーカシングを行うレンズを移動させる。ズームレンズ駆動用モータ６２は、制御手段９０から入力されるズーム制御信号に基づいて駆動し、ズームレンズ１０を構成するレンズ群のうち、ズーミングを行うレンズ群を移動させる。
【００４６】
操作部８０は、前述したメインスイッチ釦５１、レリーズ釦５２、ズーム釦８５などの各種スイッチ、ボタンなどで構成されている。
【００４７】
レリーズ釦５２は、半押し状態と押し込んだ全押し状態とが検出可能な２段階スイッチになっている。待機状態で半押し状態（スイッチＳ１のＯＮと称す）にすると、オートフォーカス（ＡＦ）による焦点調節と自動露出調整（ＡＥ）による露出値及びホワイトバランス調整（ＷＢ）によるホワイトバランス値がロックされ、全押し状態（スイッチＳ２のＯＮと称す）で被写体からの光がＣＣＤ４３に露光される。
【００４８】
フラッシュ手段３０は、キセノン管からなる２つのフラッシュ発光部１２ａ、１２ｂとフラッシュ回路３２と照射されたフラッシュ光の被写体からの反射光を受光する調光センサ３３を備えている。
【００４９】
フラッシュ回路３２は、フラッシュの発光及びフラッシュの発光量を設定された所定量に制御するものである。
【００５０】
フラッシュ撮影時においては、露出開始と同時に被写体からのフラッシュ光の反射光が調光センサ３３により受光され、この受光量が所定の発光量に達すると、制御手段９０から発光停止信号が出力され、この発光停止信号に応答してフラッシュ発光部の発光を停止させ、これによりフラッシュ発光量が所定量に制御される。
【００５１】
なお、フラッシュ発光量の制御はこれに限らず、ＡＦによるフォーカシングレンズの停止位置から被写体距離の情報を得て、この被写体距離情報に基づいてフラッシュ発光量を制御するようにしてもよい。
【００５２】
制御手段９０は、ＣＰＵ（中央演算処理装置）などからなり、ＲＯＭ（リードオンリメモリ）９１及びＲＡＭ（ランダムアクセスメモリ）９２を含む。ＲＯＭ９１は、制御手段９０のＣＰＵの動作を制御する制御プログラムを記憶するものである。ＲＡＭ９２は、演算処理や制御処理などにおける種々のデータを一時的に格納するものである。また、制御手段９０は、カードＩ／Ｆ９３を介してメモリカード９４に接続されている。
【００５３】
そこで制御手段９０は、ＲＯＭ９１に格納された制御プログラムに従ってデジタルカメラ１の各部の動作を制御するもので、レリーズ釦５２のスイッチＳ１がＯＮ（半押し）されると、露出制御値の設定や焦点調節等の被写体を撮像するための準備動作を実行し、レリーズ釦５２のスイッチＳ２がＯＮ（全押し）されると、ＣＣＤ４３を露光し、その露光によって得られた画像信号に所定の画像処理を施してメモリカード９４に記録する一連の撮影動作を実行する機能を有する。
【００５４】
さらに制御手段９０は、撮像手段４０のＤＣ／ＤＣコンバータ４４のオン・オフ制御やフラッシュ手段３０のフラッシュ回路３２への給電制御など電源９５の各部への電力供給を制御する。
【００５５】
以上が、本実施の形態に係るカメラ１の電気的構成の概略である。
【００５６】
本実施の形態に係るカメラ１は、撮影に関して少なくとも静止画撮影が可能な静止画撮影モードを有しており、撮影倍率を指定すると、指定された撮影倍率の静止画像が記録される倍率指定撮影モードを有している。
【００５７】
図３は、本実施の形態に係る撮像装置であるカメラ１の倍率指定撮影モードの動作概略を示すフローチャートである。本例は、口腔歯科用の治療前後の比較や経過の記録に用いるものに適用した例である。なお、倍率指定撮影モード時には、撮像素子の有効画素数に対し基準の撮影領域の画素数を異ならせて設定する。
【００５８】
図４は、倍率指定撮影モード時の撮像素子の有効画素数と基準の撮影領域の画素数の関係例を示す図である。
【００５９】
同図に示すように、撮像素子の有効画素領域Ａ（実線の内側の領域）に対し、有効画素領域Ａの内側のＢで示す領域（破線の内側の領域）を基準の撮影領域としている。即ち、例えば撮像素子の画素ピッチが３．５μｍで有効画素領域Ａの全有効画素数が２３０４画素×１７３４画素（４００万画素）、撮像面寸法８．１８ｍｍ×６．１３ｍｍの場合、中央の１６００画素×１２００画素（２００万画素）、撮像面寸法５．６８ｍｍ×４．２６ｍｍの領域で得られた画像を基準の撮影領域Ｂとしている。なおこの設定は、一例であり、この比率、画素数に限るものでない。
【００６０】
以下、図３に示すフローに従い説明する。
【００６１】
カメラ１の動作モードを倍率指定撮影モードにするには、例えばアタッチメントレンズ等を装着して倍率指定撮影モードの撮影を行うカメラの場合には、アタッチメントレンズの装着を検知する検知部材を設け、この検知部材の検知に応じて自動的に倍率指定撮影モードにセットする。また、アタッチメントレンズを装着せずとも倍率指定撮影モードの撮影が可能なカメラの場合には、例えば表示部であるＬＣＤに無限遠から所定の至近距離までを撮影可能な通常の静止画撮影モードと、倍率指定撮影モードが並列表示され、操作部によりいずれかを選択するようなものであってもよい。
【００６２】
倍率指定撮影モードが選択されると、まず、撮影倍率を指定する（ステップＳ１０１）。この撮影倍率の指定は、倍率指定撮影モードとなった際に、表示部に予め複数種の撮影倍率が表示され、その中から撮影者が操作部を操作することにより選択するよう構成されていることが好ましい。
【００６３】
図５は、ステップＳ１０１における撮影倍率の選択の為に表示部に表示される表示例を示す図である。
【００６４】
同図に示すように、撮影倍率、その撮影倍率に適した被写体部位、その撮影倍率時の撮影される被写体寸法、その撮影倍率で撮影する際の撮影距離（ワーキングディスタンス）、その撮影倍率で使用される焦点距離の表が表示部に表示される。撮影者は、操作部を用いて、いずれかの撮影倍率を選択する。
【００６５】
なお、本例での撮影倍率は、３５ｍｍフィルムの１コマの横寸法３６ｍｍに対する被写体側の横寸法サイズから導かれた数値である。即ち、撮像素子の上記の基準の撮影領域の長辺方向一杯に、被写体の実横寸法３６ｍｍの範囲が撮影される場合を撮影倍率１倍（等倍）と称している。即ち、本実施の形態における等倍とは、基準の撮影領域（図４のＢで示す領域）である中央の１６００画素×１２００画素（２００万画素）の長辺方向に被写体の実横寸法３６ｍｍの領域が撮影される状態をいう。
【００６６】
図３のフローに戻り、撮影倍率が選択されると、指定された撮影倍率での撮影が可能な予め決められた焦点距離となるよう、ズームレンズ１０を自動的に変倍させる（ステップＳ１０２）。即ち本例でいうと、顔貌全体を撮影するための撮影倍率０．０６倍が選択されると、焦点距離を略１１，５ｍｍとなるよう変倍する。口腔全体を撮影するための撮影倍率０．５２倍が選択されると、焦点距離を略１５．１ｍｍとなるよう変倍する。また等倍撮影が選択されると、焦点距離を略３１ｍｍとなるよう変倍する。
【００６７】
次いで、ライブビュー表示をおこない（ステップＳ１０３）、レリーズ釦の半押し動作である、スイッチＳ１がＯＮされるのを待機する（ステップＳ１０４）。
【００６８】
スイッチＳ１がＯＮされる（ステップＳ１０４；Ｙｅｓ）と、撮影準備動作がおこなわれ、オートフォーカス（ＡＦ）動作による焦点調節と自動露出調整（ＡＥ）による露出値及びホワイトバランス調整（ＷＢ）によるホワイトバランス値がロックされる（ステップＳ１０５）。
【００６９】
次いで、オートフォーカス（ＡＦ）動作による焦点調節によるフォーカシングレンズの停止位置から、被写体距離の情報が取得される（ステップＳ１０６）。この動作は、制御手段のＣＰＵ（中央演算処理装置）により行われＲＡＭに記憶される。
【００７０】
この後、ステップＳ１０６でＲＡＭに記憶された、フォーカシングレンズの停止位置から得られた被写体距離の情報と、記憶手段であるＲＯＭに予め記憶されている撮像倍率に対応した被写体距離とを比較し、所定の許容誤差範囲内であるか否かを制御部が判断する（ステップＳ１０７）。
【００７１】
この許容誤差範囲は、予め決められているものであり、等倍が選択された場合を例にして図４を用いて説明する。
【００７２】
等倍撮影時の撮影距離１１８ｍｍは、図４に示す破線Ｂで囲まれた領域の長辺方向で被写体実横寸法３６ｍｍの領域が結像する距離である。１１８ｍｍより実際の撮影距離が短い（近い）と、被写体実横寸法３６ｍｍの領域は、破線Ｂで示す基準の撮影領域の長辺方向を越え、実線Ａで示す有効画素領域まではみ出した状態で結像される。しかしながら、被写体実横寸法３６ｍｍの領域が実線Ａで示す有効画素領域（撮影倍率略１．４倍以内）内にあれば、有効画素領域の画像データから被写体実横寸法３６ｍｍの領域を取り出すことができる。また、１１８ｍｍより実際の撮影距離が長い（遠い）と、破線Ｂで示す基準の撮影領域の長辺方向内に被写体実横寸法３６ｍｍ以上の領域が結像することになる。この場合にも、破線Ｂで示す基準の撮影領域内の画像データから被写体実横寸法３６ｍｍの領域を取り出すことができる。しかしながら、極めて低倍率で小さく結像された場合には、後の診断等のために解像度が不足する問題があるため、例えば、図４に示す一点鎖線Ｃの領域である１１３６画素×８５２画素（９７万画素）程度（撮影倍率略０．７倍以上）内に被写体実横寸法３６ｍｍ以上の領域が結像されていることが好ましい。このため、許容誤差範囲は、被写体実横寸法３６ｍｍの領域が実線Ａで示す有効画素領域内に収まる近距離側の撮影距離から一点鎖線Ｃで示す９７万画素程度以上の画素数で撮影できる遠距離側の撮影距離までとすることが好ましい。このような判断は、他の撮影倍率についても同様に行われる。
【００７３】
なお、許容誤差範囲の設定は、上記に限るものでなく、近距離側でより厳しく、遠距離側でより緩やか或いは厳しい設定であってもよい。
【００７４】
この判断は、具体的には例えば、指定倍率に対応する被写体距離までのフォーカシングレンズの初期位置からの駆動パルス数を記憶させておき、この記憶させた駆動パルス数とＡＦ動作によるフォーカシングレンズの初期位置から停止位置までの駆動パルス数との差が、予め決められた所定値以下であれば誤差内、所定値以上であれば誤差外と判断するように構成する。
【００７５】
図３のフローに戻り、ステップＳ１０７において、得られた実被写体距離情報とＲＯＭに予め記憶されている撮像倍率に対応した被写体距離との差が、所定の誤差範囲を越えている場合（ステップＳ１０７；Ｎｏ）には、警告表示を行い（ステップＳ１２１）、所定の誤差範囲内の場合（ステップＳ１０７；Ｙｅｓ）には、ＯＫ表示を表示部で行う（ステップＳ１０８）。
【００７６】
図６は、ＯＫ表示及び警告表示の一例を示す図である。同図は等倍撮影時を例にとったものである。
【００７７】
撮影倍率が、同図（ａ）に示すＤ領域、即ち略１，４倍を越えている場合には、同図（ｂ）に示すように、表示部に被写体画像に重ねて、被写体に近接し過ぎであるとの警告表示がなされる。
【００７８】
撮影倍率が、同図（ａ）に示すＥ領域、即ち略０．７１〜１．４倍の範囲内の場合には、同図（ｃ）に示すように、表示部に被写体画像に重ねてＯＫの表示がなされる。
【００７９】
撮影倍率が、同図（ａ）に示すＦ領域、即ち略０．７１倍を下回っている場合には、同図（ｄ）に示すように、表示部に被写体画像に重ねて、被写体から離れ過ぎであるとの警告表示がなされる。
【００８０】
このような表示は、他の撮影倍率についても同様に行われる。なお、このＯＫ表示や警告表示はこれに限るものでなく、その他の文言や方法、例えば音声等で行ってもよい。
【００８１】
図３のフローに戻り、ステップＳ１２１に移行し、被写体距離が不適切であるとの警告表示を行った場合は、ステップＳ１０４へ戻り、被写体距離を変えてステップＳ１０４〜ステップＳ１０７の動作を繰り返す。
【００８２】
ステップＳ１０８においてＯＫ表示する場合、即ち、得られた実被写体距離情報と予め記憶されている撮像倍率に対応した被写体距離との差が、所定の誤差範囲内の場合には、レリーズ釦の全押し動作である、スイッチＳ２がＯＮされるのを待機する（ステップＳ１０９）。
【００８３】
スイッチＳ２がＯＮされる（ステップＳ１０９；Ｙｅｓ）と、撮影記録が行われる（ステップＳ１１０）。このとき、記録される画像は、指定された撮影倍率での撮影範囲となるように、解像度変換処理が行われ、メモリーカードに記録される。
【００８４】
なお、実被写体距離情報と予め記憶されている撮像倍率に対応した被写体距離が一致している場合には、解像度変換処理を行わず、そのままメモリーカードに記録される。このようにすることで、処理時間を短縮することができる。
【００８５】
具体的には、指定倍率より高い撮影倍率の場合には、撮像素子の有効画素範囲内で得られる画像から、指定された撮影倍率での撮影範囲となる領域の画像を切り出して記録する。指定倍率より低い撮影倍率の際には、基準の撮影領域範囲内で得られる画像から、指定された撮影倍率での撮影範囲となる領域の画像を切り出して記録する。これにより撮影距離の相違にかかわらず、常に被写体側での同一寸法領域が記録されることになる。
【００８６】
この後、撮影を終了するか否かを撮影者に判断（ステップＳ１１１）させ、撮影続行（ステップＳ１１１；Ｎｏ）の場合には、ステップＳ１０１に戻り、同様の動作を行う。撮影終了（ステップＳ１１１；Ｙｅｓ）の場合には、倍率指定撮影モードを終了する。
【００８７】
以上が、倍率指定撮影モードの動作概略である。なお、上記の説明では、像面評価によるＡＦのフォーカシングレンズの停止位置から、被写体距離の情報を得るよう構成した例で説明したが、これに限るものでなく、例えばカメラに搭載された、赤外アクティブ測距やパッシブ三角測距等の外部測距手段で被写体距離の情報を得るよう構成してもよい。
【００８８】
以上説明したように、撮影倍率を指定し、指定された撮影倍率に対応した焦点距離に変倍撮像光学系を変倍させ、撮影時の被写体距離の情報を得て、この被写体距離の情報と予め記憶されている被写体距離の差に応じて、記憶されている被写体距離で撮影した撮影倍率となるよう解像度変換処理を行う撮像装置とすることで、撮影時に被写体距離がばらついても、再生時の後処理を必要とせずに撮影倍率の一致した画像が得られるようになり、煩わしい距離設定を行わずとも、迅速な指定倍率での撮影が可能な省電力の撮像装置を得ることができる。
【００８９】
また、撮影倍率に対応して適切な焦点距離に変倍することにより、被写体距離が遠すぎず且つ近すぎず、適切なワーキングディスタンスの確保できる撮像装置とすることができる。
【図面の簡単な説明】
【００９０】
【図１】本実施の形態に係る撮像装置の一例であるカメラの外観図である。
【図２】本実施の形態に係る撮像装置であるカメラの電気的構成を示すブロック図である。
【図３】本実施の形態に係る撮像装置であるカメラの倍率指定撮影モードの動作概略を示すフローチャートである。
【図４】倍率指定撮影モード時の撮像素子の有効画素数と基準の撮影領域の画素数の関係例を示す図である。
【図５】ステップＳ１０１における撮影倍率の選択の為に表示部に表示される表示例を示す図である。
【図６】ＯＫ表示及び警告表示の一例を示す図である。
【符号の説明】
【００９１】
１  カメラ
１０  ズームレンズ
１２ａ、１２ｂ  フラッシュ発光部
４０  撮像手段
５０  信号処理手段
６０  レンズ制御手段
６１  フォーカスモータ
６２  ズームモータ
６３  シャッタ制御ドライバ
７０  表示手段
７３  ＬＣＤ
８０  操作部
８１  メインスイッチ釦
８２  レリーズ釦
８５  ズーム釦
９０  制御手段
９１  ＲＯＭ
９２  ＲＡＭ
９４  メモリカード
【図１】
2008244734.tif 000003
【図２】
2008244734.tif 000004
【図３】
2008244734.tif 000005
【図４】
2008244734.tif 000006
【図５】
2008244734.tif 000007
【図６】
2008244734.tif 000008